(57)【要約】【課題】  使用しない場合の製品の全高ができるだけ低く使用に便利であるとともに、運動中の水分補給、すなわち給水用の飲料容器として利用して安全な飲料容器の飲み口構造を提供する。【解決手段】  容器本体１の開口部５に飲み口６を装着するとともに、飲み口６を覆う如くキャップ７を装着し、キャップ７を取り外すことによって飲み口６から直接飲用する。容器本体１の開口部５に装着する飲み口６は柔軟な弾性材料によって形成する。この飲み口６は、単に柔軟であるというだけのものではなく、原形復帰をする弾性材料であって、太径部分と細径部分を備えた形状とする。これにより、容器本体１にキャップを装着することによって飲み口６がキャップによって押圧され、前記太径部分と細径部分の間の弾性によって折曲されて圧縮変形し、製品全体の高さが低くなる。【選択図】  図２
2005112396.tif 000002
【特許請求の範囲】
【請求項１】
容器本体の開口部に飲み口を装着するとともに、該飲み口を覆う如くキャップを装着してキャップを取り外すことによって飲み口から直接飲用することができる飲料容器において、
容器本体の開口部に装着する飲み口は、原形復帰をする柔軟な弾性材料で太径部分と細径部分を備えた形状に形成し、容器本体にキャップを装着することによって飲み口が、前記太径部分と細径部分の間で弾性変形によって圧縮されることを特徴とする飲料容器の飲み口構造。
【請求項２】
容器本体にキャップを装着することによって飲み口の弾性力によって飲み口開口部がキャップ内面に押圧されて密閉されることを特徴とする請求項１記載の飲料容器の飲み口構造。
【請求項３】
キャップ内面に突出部を形成し、キャップを容器本体に装着したときに前記キャップ内面の突出部が飲み口開口部に挿入されて、該飲み口開口部を密閉することを特徴とする請求項１記載の飲料容器の飲み口構造。
【請求項４】
キャップ内面に突出させる突出部が、キャップとは別体に形成されキャップに対して遊動可能な部材である請求項３記載の飲料容器の飲み口構造。
【請求項５】
飲み口が容器本体に対して着脱可能である請求項１ないし４のいずれかに記載の飲料容器の飲み口構造。
【発明の詳細な説明】
【技術分野】
【０００１】
この発明は、飲料が入っている容器本体のキャップを取り外すことによって、直接飲用することができる飲料容器の飲み口構造に関する発明である。
【背景技術】
【０００２】
飲料容器には、ペットボトルや特許文献１に開示されているように、容器本体に飲み口が設けられており、該飲み口を覆うキャップを容器本体に着脱自在に装着しておき、キャップを取り外すことによって飲み口から直接飲用することができる飲料容器が知られている。また、特許文献２や３に開示されるように、容器本体や容器本体に装着する蓋にストローを装着し、キャップを開けることによってストローの吸い口が突出し、ストローによって飲用することができる飲料容器も知られている。
【０００３】
ペットボトルや特許文献１に記載されている飲料容器の飲み口は、合成樹脂材などの剛性を有する型崩れしないものが使用されている。また、特許文献２や３に記載されているように、ストロー付き水筒においては、ストローを構成する液通路の一部に柔軟な部材を用いておき、キャップを装着したときに折り畳まれてストローの吸い口部分が収容されるように構成されているものも知られている。
【特許文献１】特開２００３−１４４３３７号公報
【特許文献２】特開２００２−１７３１６２号公報
【特許文献３】実開昭６０−２０７３３号公報
【発明の開示】
【発明が解決しようとする課題】
【０００４】
従来のペットボトルや特許文献１に開示されるような飲料容器は、飲み口が容器本体から大きく突出しているため、キャップを装着した状態で飲料容器全体の高さが高くなって取り扱いに不便であるという欠点があった。飲み口が上方に突出しないものでは飲みにくいため、実用的ではない。また、従来の飲料容器では飲み口が剛性を有する構造であるため、動きながらの使用、例えばマラソンや自転車競技のように運動中の給水用飲料容器として利用する場合は、飲み口が口に当たって怪我をするなど危険であった。さらに、従来の飲料容器の飲み口は着脱ができないものであったため、直接口に付けて飲用する飲用容器では、非衛生的であった。
【０００５】
上記従来技術の欠点に鑑み、本発明は使用しない場合の製品の全高ができるだけ低いものとし使用に便利であるとともに、運動中の水分補給、すなわち給水用の飲料容器として利用して安全であり、かつ衛生的な飲料容器の飲み口構造を提供することを目的とするものである。さらに、キャップを装着することによって飲み口が密閉され、飲料が漏れない飲料容器を提供することを目的とするものである。
【課題を解決するための手段】
【０００６】
本発明は、容器本体１の開口部５に飲み口６を装着するとともに、該飲み口６を覆う如くキャップ７を装着し、キャップ７を取り外すことによって飲み口６から直接飲用することができる飲料容器に関するものである。そして、前記目的を達成するために、請求項１記載の本発明は、容器本体１の開口部５に装着する飲み口６を、柔軟な弾性材料によって形成する。ただし、この飲み口６は、単に柔軟であるというだけのものではなく、原形復帰をする弾性材料であって、太径部分と細径部分を備えた形状に形成する。これにより、容器本体１にキャップを装着することによって飲み口６がキャップによって押圧され、前記太径部分と細径部分の間の弾性によって折曲されて圧縮変形し、製品全体の高さが低くなる。
【０００７】
請求項２記載の発明は、容器本体１にキャップ７を装着することによって飲み口６の弾性力によって飲み口６の開口部がキャップ７の内面に押圧され密閉されるようにしたものである。すなわち、飲み口６の柔軟で弾性を備えた性質を利用して飲み口６の開口部をシールさせるものである。
【０００８】
請求項３記載の発明は、キャップ７内面に突出部13を形成し、キャップ７を容器本体１に装着したときに、前記キャップ７内面に形成した突出部13が飲み口６の開口部に挿入され、飲み口開口部を密閉させるようにするものである。すなわち、請求項２記載の発明と同様に、飲み口６の柔軟で弾性を備えた性質を利用して飲み口６をシールさせるものである。請求項４記載の発明は、キャップ７内面に突出させる突出部13として、キャップ７とは別体に形成され、キャップ７に対して遊動する部材で飲み口６の開口部を密閉させるものである。具体的には、キャップ７に対して係脱可能であるキャップ７と容器本体１とをつなぐ紐11の紐ストッパー12を利用することができる。請求項５記載の発明は、飲み口６を容器本体１に対して着脱可能とするものでである。
【発明の効果】
【０００９】
請求項１記載の本発明飲料容器の飲み口構造によれば、キャップ７を飲料容器本体１に装着したときに、飲み口６が圧縮されて製品全体の高さが低くなる。したがって、携行その他の取り扱いに便利である。また、本発明品を運動中の給水用の飲料容器のように、動きながら飲用するような使用であっても、飲み口６が柔軟なものであるため飲み口６が口に当たって怪我をするようなことがなく安全である。
【００１０】
請求項２記載の発明によれば、キャップ７を装着することによってキャップ７の内面に飲み口６の開口部５が当接し、飲み口６自体の弾発力によって押圧される結果、飲み口６の開口部が密閉される。そのため、特別な栓を設けることなく、携行中などに内溶液が洩れるのを防止することができる。
【００１１】
請求項３記載の発明によれば、請求項２記載の発明と同様、キャップ７を装着することによって、飲み口６の開口部が密閉されて携行中などに内容液が洩れるのを防止することができるものであるが、突出部13が飲み口６の開口部に挿入されて、突出部13が開口部内周面に密接しあたかも栓のように機能する結果、請求項２記載の発明よりも確実で大きな密閉効果を得ることができる。
【００１２】
請求項４記載の発明によれば、請求項３記載の発明の効果に加え、飲み口６の開口部に遊動可能とした突出部が確実に密接し、密閉効果を向上させることができる。このとき、キャップ７と分離させることができる紐ストッパー12を利用することによって、飲み口６に挿入される紐ストッパー12をキャップから分離させて洗浄することができるため、より衛生的である。請求項５記載の発明では、飲み口を取り外して洗浄できるとともに、使用する人によって飲み口を交換することができるため衛生的に使用することができ、飲み口６が傷付いた場合や古くなった場合には容易に交換して使用することができる。
【発明を実施するための最良の形態】
【００１３】
以下、本発明に係る飲料容器の飲み口構造の好ましい実施形態を、添付の図面に基づいて説明する。
図１は真空二重びんを使用した保温、保冷機能を有する携帯用魔法びんに本発明を応用した実施形態を示す全体の縦断面図、図２は図１に示す実施形態の上部のみの拡大断面図、図３は、図２に示す状態からキャップのネジを緩めた状態、図４は図３に示す状態からキャップを取り除いた状態を示すそれぞれ拡大断面図である。
【００１４】
図１に示す実施形態の飲料容器の容器本体１は、図２ないし図４に示すように、金属製の真空二重びん２の上部外周に肩リング３を嵌着するとともに、該肩リング３の上方位置に肩体４を真空二重びんに対して着脱自在となるように螺着している。肩体４には、図４に示すように真空二重びん２の上端を支受する段部4aを形成するとともに、上方に突出する筒状部4bを形成している。したがって、真空二重びん２に対して肩体４を螺着すると、真空二重びん２の上端が肩体４の段部4aに密接し、肩体４の開口部が容器本体１の開口部５として機能する。
【００１５】
肩体４の上方に突出する筒状部4b上端には、短い一定範囲の外周面を切除して細径の段付きとし、該段部4cに飲み口６の下端部を嵌め込んで装着する。また、筒状部4b外周面の基部にはキャップ７を螺着するための雄ネジ８を形成している。そして、この雄ネジ８とキャップ７開口端内面に形成した雌ネジ９によってキャップ７を肩体４に対して着脱自在としている。キャップ７の天壁部分には、小さな貫通孔10を穿設し、この貫通孔10に対して上方から紐11を通過させ、通過させた紐11の先端に前記貫通孔10を通過しない大きさの紐ストッパー12を取付けるとともに、紐11の他端を真空二重びんに固定されている肩リング３に接続している。これによって、キャップ７を外した場合にもキャップ７を紛失する虞がない。なお、紐ストッパー12の上端部分は、紐11が通過する筒状に形成し、該筒状部分が、貫通孔10に遊動可能な状態で嵌り込むことによって定位置に安定する。紐ストッパー12には、飲み口６の開口部に入り込む突出部12aと、該突出部12aの上部に外鍔12bを形成している。これにより、突出部12aが飲み口６の開口部に入り込んで位置決めされ、外鍔12bの底面に飲み口６の開口端が密接する。
【００１６】
容器本体１の開口部５に装着する飲み口６は、シリコンゴムのように柔軟で弾性を備えた材質で成型し、押圧力によって圧縮変形するとともに、押圧力を解除することによって原形復帰をする形状とする。具体的には、全体をシリコンゴムで成型するものであって、下端部を太径の短筒状である装着部6aとし、該装着部6aを肩体４上端の短筒状に形成した段部4cに嵌め込むことができるようにする。
【００１７】
飲み口６は、下端部を太径とし、上方に向けて細径に形成する。具体的には、太径の装着部6aに続いてドーム状の曲面で傾斜部6bを形成し、傾斜部6bの上端に短い筒部6cを形成する。筒部6cの先端が開口部であって、筒部6cに口を付けて容器本体１に収容した飲料を直接飲用するものであるため、筒部6cは直接口を付けて飲用するのに都合が良い長さに成型するのが望ましい。なお、開口部は実寸で直径５ミリメート以上であって、傾斜部6bと筒部6cを含めた飲み口６全体の高さは、口を付けて飲みやすい高さに突出させる。
【００１８】
図４に示すキャップを取り除いた状態にある飲料容器にキャップ７を装着すると、図１や図２に示すように、キャップ７の内面によって飲み口７の先端部分が押圧され、飲み口６の傾斜部6bで折曲されて下方に押し下げられ、細径部分である筒部6cが大径部分である傾斜部6bに入り込んで変形し、圧縮された状態でキャップ７が装着される。このときキャップ７の内面、具体的にはキャップ７の内面に突出している紐ストッパー12によって飲み口の開口部が閉塞される。紐ストッパー12は栓形状に形成され、突出部分が飲み口の開口部に入り込むとともに、飲み口６自体の上方への弾発力によって飲み口の開口端が紐ストッパー12の外鍔12bに押圧され、密閉状態が維持される。
【００１９】
飲み口６は、少なくとも押圧変形された飲み口が、自体の弾発力によって原形復帰する強さとし、好ましくはネジを緩めて螺着を解いたときに、図３に示すような状態にキャップ７を押し上げる強さの弾発力を有するものとする。このように、比較的強い弾発力を有するものとしておくと、キャップのネジを戻して速やかに飲むことができ、運動中の給水用飲料容器などで極めて機能的である。
【００２０】
飲み口６の弾発力は、飲み口を成型する柔軟な弾性材料の材質の選択と、肉厚の選定によって自由に設定することができる。上記要件を満たすものとして、シリコンゴムによって飲み口６を成型することができる。そして、飲み口６の装着部分、すなわち下端開口部分の直径を肩体４上端の段部4c、すなわち短筒状の部分に、飲み口の伸縮性を利用して着脱可能とし、確実に装着できる。
【００２１】
原形復帰をする飲み口６の形状は、特に限定されるものではないが、少なくとも細径部分が太径部分に入り込んで変形するのが本願の特徴である。このように太径部分と細径部分が形成されたものであると、太径部分から細径部分への変化部分で容易に、かつ安定して折曲される如く弾性変形をする。
【００２２】
図５及び図６は、本発明の変形実施形態を示すものである。図５、図６に示す実施形態は、キャップ７の天壁内面に突出部13を形成するものである。この突出部13は、キャップ７の一部として略台形に形成し、キャップ７を容器本体１に装着、すなわち肩体４に螺着した場合に、突出部13の先端部分が飲み口６の開口部に挿入される位置に配置する。そして、突出部13の先端部分を飲み口６の開口部よりも小径に、基端部分を飲み口６の開口部よりも大径としている。これにより、突出部13がニードル弁のように作用し、飲み口の開口部を確実に密閉する。
【図面の簡単な説明】
【００２３】
【図１】図１は、真空二重びんを使用した保温、保冷機能を有する携帯用魔法びんに本発明を応用した実施形態を示す全体の縦断面図、
【図２】図２は、図１に示す実施形態の上部のみの拡大断面図、
【図３】図３は、図１に示す実施形態であって、キャップのネジを緩めた状態の拡大断面図、
【図４】図４は、図３に示す状態からキャップを取り除いた状態を示す拡大断面図、
【図５】図５は、本発明の変形の実施形態を示す液体容器の上部であって、キャップを分離させた状態の拡大断面図、
【図６】図６は、図５に示す状態からキャップを装着した状態の拡大断面図。
【符号の説明】
【００２４】
１…容器本体、  ２…真空二重びん、  ３…肩リング、  ４…肩体、  4a…段部、  4b…筒状部、  4c…段部、  ５…開口部、  ６…飲み口、  6a…装着部、  6b…傾斜部、  6c…筒部、  ７…キャップ、  ８…雄ネジ、  ９…雌ネジ、  10…貫通孔、  11…紐、  12…紐ストッパー、  12a…突出部、  12b…外鍔、  13…突出部。
【図１】
2005112396.tif 000003
【図２】
2005112396.tif 000004
【図３】
2005112396.tif 000005
【図４】
2005112396.tif 000006
【図５】
2005112396.tif 000007
【図６】
2005112396.tif 000008